(57)【要約】【課題】  低コストで立体的に見える立体写真画像を生成する写真画像の加工方法を提供する。【解決手段】  写真画像を加工して立体写真画像を生成する写真画像の加工方法は、画像データを３つのレイヤーに分割するレイヤー分割処理Ｓ１と、所定の深度値にて各レイヤーを加工する画像データ加工処理Ｓ２１，Ｓ２２，Ｓ２３と、３つのレイヤーを合成して印刷する合成処理Ｓ３と、レンチキュラーレンズを貼り付けるレンズ貼付処理Ｓ４とを有している。レイヤー分割処理Ｓ１では、写真画像Ｐ１を、３つのレイヤーＬ１，Ｌ２，Ｌ３に分割し、画像データ加工処理Ｓ２１，Ｓ２２，Ｓ２３では、レイヤーＬ１に深度値ｄ１〜ｄ２を、レイヤーＬ２に深度値ｄ３〜ｄ４を、レイヤーＬ３に深度値ｄ５〜ｄ６を適用する加工を行う。【選択図】  図１
2017203905.tif 000002
【特許請求の範囲】
【請求項１】
写真画像を加工して立体的に表現された立体写真画像を生成する写真画像の加工方法であって、
前記写真画像の画像データを複数のレイヤーに分割するレイヤー分割処理と、
前記複数のレイヤーに対してそれぞれ深度値を変更する加工を行う画像データ加工処理と、
前記深度値が変更された前記複数のレイヤーを合成し、合成された画像データを印刷して合成画像を生成する合成処理と、
前記合成画像にレンチキュラーレンズを貼り付けるレンズ貼付処理と、を有し、
前記画像データ加工処理は、各レイヤーに対して異なる前記深度値を適用するとともに、各レイヤー内にて複数の異なる前記深度値を適用する、
ことを特徴とする写真画像の加工方法。
【請求項２】
前記画像データ加工処理は、各レイヤーにおける被写体に対して白黒グラデーションを付加する加工を行う、
ことを特徴とする請求項１に記載の写真画像の加工方法。
【請求項３】
前記レイヤー分割処理は、前記写真画像の前面の被写体を表す前面レイヤーと、前記写真画像の中間の被写体を表す中間レイヤーと、前記写真画像の背景を表す背景レイヤーと、の３つのレイヤーに分割し、
前記画像データ加工処理は、前記前面レイヤーの深度値をｄ１ないしｄ２、前記中間レイヤーの深度値をｄ３ないしｄ４、前記背景レイヤーの深度値をｄ５ないしｄ６としたとき、
ｄ１＞ｄ２＞ｄ３＞ｄ４＞ｄ５＞ｄ６
の関係になるような各深度値を適用する、
ことを特徴とする請求項１または２のいずれか１項に記載の写真画像の加工方法。
【発明の詳細な説明】
【技術分野】
【０００１】
この発明は、通常の写真画像を加工して立体的に表現された立体写真画像を生成する写真画像の加工方法に関する。
【背景技術】
【０００２】
近年、写真画像の被写体を立体的に表現することが可能な立体写真、いわゆる３Ｄ画像が広まっている。このような立体写真は、例えば、両眼の視差を利用したものであり、立体メガネを装着して画像を見ることで立体的に見えるようにしたものや、２つの並べられた画像をそれぞれ別の眼で見ることにより、その画像の被写体が立体的に浮き上がって見えるようにしたもの等がある。
【０００３】
また、写真画像の被写体を立体的に知覚することが可能な立体知覚プリント原画像作成方法及び立体知覚画像形成方法が知られている（例えば、特許文献１参照）。この立体知覚プリント原画像作成方法は、被写体と背景とを含む写真画像から被写体の画像データを抽出、マスキングして外周部分に陰影付けを行い、背景画像に結合させることで立体的に知覚することが可能な画像を形成するものである。
【０００４】
さらに、印刷物にレンチキュラー（ｌｅｎｔｉｃｕｌａｒ）レンズと呼ばれる、表面に微細な細長い蒲鉾状のレンズが無数に並んで形成されている透明プラスチック製のシートを貼り合わせることで、立体的に見ることが可能なレンチキュラー型印刷物及びその製造方法が知られている（例えば、特許文献２参照）。このレンチキュラー型印刷物及びその製造方法は、蒲鉾状のレンズ部分の右半分に右眼用画像を、左半分に左眼用画像を直接形成することにより、両眼の視差を利用することで立体的に見えるようにするものである。
【先行技術文献】
【特許文献】
【０００５】
【特許文献１】特開２００７−１１５０４２号公報
【特許文献２】特開２０１０−０４４２１３号公報
【発明の概要】
【発明が解決しようとする課題】
【０００６】
しかしながら、特許文献１に記載の立体知覚プリント原画像作成方法により形成された画像は、陰影付けにより立体的に知覚可能な画像であり、いわゆる３Ｄ画像のように被写体が浮き上がって見えたり、奥行きを感じられるように見えたりする画像ではない。また、特許文献２に記載のレンチキュラー型印刷物の製造方法は、蒲鉾状のレンズ部分に直接画像を形成するものであるため、専用の印刷機が必要になるものであり、そのような印刷機は高価であるため、非常にコストがかかってしまうものであった。
【０００７】
そこでこの発明は、低コストで立体的に見える立体写真画像を生成する写真画像の加工方法を提供することを目的とする。
【課題を解決するための手段】
【０００８】
上記課題を解決するために、請求項１の発明は、写真画像を加工して立体的に表現された立体写真画像を生成する写真画像の加工方法であって、前記写真画像の画像データを複数のレイヤーに分割するレイヤー分割処理と、前記複数のレイヤーに対してそれぞれ深度値を変更する加工を行う画像データ加工処理と、前記深度値が変更された前記複数のレイヤーを合成し、合成された画像データを印刷して合成画像を生成する合成処理と、前記合成画像にレンチキュラーレンズを貼り付けるレンズ貼付処理と、を有し、前記画像データ加工処理は、各レイヤーに対して異なる前記深度値を適用するとともに、各レイヤー内にて複数の異なる前記深度値を適用する、ことを特徴とする。
【０００９】
この発明によれば、写真画像の画像データがレイヤー分割処理によって複数のレイヤーに分割され、各レイヤーが加工されて深度値が変更される。また、深度値が変更された各レイヤーが合成されて１枚の写真画像として印刷され、レンチキュラーレンズが貼り付けられる。このとき、各レイヤーに対して異なる深度値が適用されるとともに、各レイヤー内にて複数の異なる深度値が適用される。
【００１０】
請求項２の発明は、請求項１に記載の写真画像の加工方法において、前記画像データ加工処理は、各レイヤーに対して白黒グラデーションを付加する加工を行う、ことを特徴とする。
【００１１】
請求項３の発明は、請求項１または２のいずれか１項に記載の写真画像の加工方法において、前記レイヤー分割処理は、前記写真画像の前面の被写体を表す前面レイヤーと、前記写真画像の中間の被写体を表す中間レイヤーと、前記写真画像の背景を表す背景レイヤーと、の３つのレイヤーに分割し、前記画像データ加工処理は、前記前面レイヤーの深度値をｄ１ないしｄ２、前記中間レイヤーの深度値をｄ３ないしｄ４、前記背景レイヤーの深度値をｄ５ないしｄ６としたとき、
ｄ１＞ｄ２＞ｄ３＞ｄ４＞ｄ５＞ｄ６
の関係になるような各深度値を適用する、ことを特徴とする。
【発明の効果】
【００１２】
請求項１の発明によれば、複数に分割された写真画像のレイヤーが加工されて深度値が変更され、各レイヤーが合成された１枚の写真画像にレンチキュラーレンズが貼り付けられることにより、立体的に見える立体写真画像を生成することができる。また、各レイヤーの深度値が変更される加工の際に、各レイヤーに対して異なる深度値が適用されるとともに、各レイヤー内にて複数の異なる深度値が適用されるので、各レイヤーを立体的に表現することができるとともに、前面に浮き上がるように表示させたい被写体のレイヤーを明確に見せることができる。また、この加工後の画像データの印刷は特殊な印刷機を必要とせず、印刷後の画像にレンチキュラーレンズを貼り付けるものであるため、画像の低コストで立体写真画像を生成することが可能になる。
【００１３】
請求項２の発明によれば、各レイヤーに対して白黒グラデーションが付加されるので、各レイヤーが前面に浮き出ているように見えたり、背面に下がっているように見えたりする効果を得ることができる。
【００１４】
請求項３の発明によれば、前記前面レイヤーの深度値をｄ１ないしｄ２、前記中間レイヤーの深度値をｄ３ないしｄ４、前記背景レイヤーの深度値をｄ５ないしｄ６としたとき、
ｄ１＞ｄ２＞ｄ３＞ｄ４＞ｄ５＞ｄ６
の関係になるように各深度値を適用するので、同一レイヤー内にて深度値を調整することで立体的に表現させ、各レイヤーに連続しない深度値を適用させることにより、画像全体として立体的に表現し、前面に浮き上がるように表示させたい被写体を明確に見せることが可能になる。
【図面の簡単な説明】
【００１５】
【図１】この発明の実施の形態に係る写真画像の加工方法を示すフローチャートである。
【図２】図１のレイヤー分割処理Ｓ１の概要を示す模式図である。
【図３】図１の画像データ加工処理Ｓ２１，Ｓ２２，Ｓ２３の概要を示す模式図である。
【図４】図１の合成処理Ｓ３の概要を示す模式図である。
【図５】図１のレンズ貼付処理Ｓ４の概要を示す模式図である。
【発明を実施するための形態】
【００１６】
以下、この発明を図示の実施の形態に基づいて説明する。
【００１７】
図１ないし図５は、本発明の実施の形態を示し、図１は、この実施の形態に係る写真画像の加工方法を示すフローチャートである。本発明は、通常の写真画像を加工して立体的に表現された立体写真画像を生成する写真画像の加工方法に関するものであり、図１に示すように、画像データを３つのレイヤーに分割するレイヤー分割処理Ｓ１と、所定の深度値にて各レイヤーを加工する画像データ加工処理Ｓ２１，Ｓ２２，Ｓ２３と、３つのレイヤーを合成して印刷する合成処理Ｓ３と、レンチキュラーレンズを貼り付けるレンズ貼付処理Ｓ４と、を有している。この写真画像の加工方法は、まず、レイヤー分割処理Ｓ１から開始される。
【００１８】
図２は、図１のレイヤー分割処理Ｓ１の概要を示す模式図であり、写真画像Ｐ１を、３つのレイヤーＬ１，Ｌ２，Ｌ３に分割した状態を示している。この模式図に示す写真画像Ｐ１は、スナップ写真等の通常に撮影及びプリントアウトされた写真であり、例えば、Ｌ版サイズ（縦１２７ｍｍ、横８９ｍｍ）の写真であるが、このサイズに限られず、他のサイズの写真でも良い。この写真画像Ｐ１を、スキャナ等で画像データとして取り込む。そして、取り込んだ画像データを、例えば、立体写真画像に加工する際に、最も前面に現れるように表現したい被写体を前面レイヤーＬ１に、中間の位置に現れるように表現したい被写体を中間レイヤーＬ２に、背景として表現したい箇所を背景レイヤーＬ３に、それぞれ選択して分割する。分割後の画像データを画像として模式的に示したものが、レイヤー画像Ｐ２１，Ｐ２２，Ｐ２３であり、それぞれハッチング箇所が該当する画像データ部分である。
【００１９】
図２の例では、例えば、最も前面に現れるように表現したい被写体として、写真画像Ｐ１の中央下部に写っている人物を前面レイヤーＬ１として選択している。中間の位置に現れるように表現したい被写体として、写真画像Ｐ１の中央に写っている山岳を中間レイヤーＬ２として選択している。背景として表現したい箇所として、山岳の上の空の部分を背景レイヤーＬ３として選択している。この前面レイヤーＬ１、中間レイヤーＬ２、背景レイヤーＬ３の選択は、写真画像Ｐ１の中から自由に選択することが可能である。この写真画像Ｐ１のレイヤー分割処理Ｓ１の後に、図１に示す画像データ加工処理Ｓ２１，Ｓ２２，Ｓ２３が開始される。
【００２０】
図３は、図１の画像データ加工処理Ｓ２１，Ｓ２２，Ｓ２３の概要を示す模式図であり、レイヤー画像Ｐ２１，Ｐ２２，Ｐ２３のレイヤーＬ１，Ｌ２，Ｌ３に対して、深度値を変更している状態を示している。このとき、前面レイヤーＬ１に対して、深度値がｄ１〜ｄ２になるように加工を行う。なお、ここで、
ｄ１＞ｄ２
の関係になるように深度値が設定されている。すなわち、同一のレイヤーである前面レイヤーＬ１の中で、異なる深度値を適用させている。これは、最も前面に現れるように表現したい被写体の中でも、立体的に表現するためには深度値を調整する必要があるからであり、そのために深度値をｄ１〜ｄ２の間で幅を持たせている。
【００２１】
同様に、中間レイヤーＬ２に対して、深度値がｄ３〜ｄ４になるように加工を行う。ここでは、
ｄ３＞ｄ４
の関係になるように深度値が設定されている。この理由も前面レイヤーＬ１と同様であり、中間レイヤーＬ２内の被写体の中でも、立体的に表現するためには深度値を調整する必要があるからであり、そのために深度値をｄ３〜ｄ４の間で幅を持たせている。
【００２２】
さらに、背景レイヤーＬ３に対して、深度値がｄ５〜ｄ６になるように加工を行う。ここでは、
ｄ５＞ｄ６
の関係になるように深度値が設定されている。この理由も前面レイヤーＬ１と同様であり、背景レイヤーＬ３内の被写体の中でも、立体的に表現するためには深度値を調整する必要があるからであり、そのために深度値をｄ５〜ｄ６の間で幅を持たせている。
【００２３】
また、前面レイヤーＬ１に適用した深度値ｄ１，ｄ２、中間レイヤーＬ２に適用した深度値ｄ３，ｄ４、背景レイヤーＬ３に適用した深度値ｄ５，ｄ６は、
ｄ２＞ｄ３，ｄ４＞ｄ５
の関係になるように深度値が設定されている。すなわち、前面レイヤーＬ１に適用した深度値の最小値ｄ２と、中間レイヤーＬ２に適用した深度値の最大値ｄ３とは、連続しない値となっている。また、中間レイヤーＬ２に適用した深度値の最小値ｄ４と、背景レイヤーＬ３に適用した深度値の最大値ｄ５とは、連続しない値となっている。これは、前面レイヤーＬ１に適用した深度値ｄ１〜ｄ２と、中間レイヤーＬ２に適用した深度値ｄ３〜ｄ４との間、及び中間レイヤーＬ２に適用した深度値ｄ３〜ｄ４と、背景レイヤーＬ３に適用した深度値ｄ５〜ｄ６との間に一定程度の差を設けることにより、後述する合成画像が全体として立体的に表現するためであり、前面に浮き上がるように表示させたい被写体を明確に見せることが可能になる。
【００２４】
さらに、この画像データ加工処理Ｓ２１，Ｓ２２，Ｓ２３では、レイヤーＬ１，Ｌ２，Ｌ３に対して、白黒グラデーションを付加するように加工している。これは、各レイヤーが前面に浮き出ているように見えたり、背面に下がっているように見えたりする効果を得るために行われるものである。
【００２５】
具体的には、レイヤーＬ１，Ｌ２，Ｌ３のそれぞれに写り込んでいる被写体や背景に対して、白色からグレー色の黒色成分を徐々に強め、黒色になるようなグラデーション状の陰影を付ける処理を行う。これは、白色が強められることにより、前面に浮き出るような視覚効果が、黒色が強められることにより、後ろに下がる視覚効果が得られるので、これにより、被写体に角度を付けて、自然に凹凸があるように見えるようにするためである。また、レイヤーＬ１，Ｌ２，Ｌ３を合成して印刷した画像に対し、後述するレンチキュラーレンズを貼り付けた際に、レンズの光沢により見えづらくなる場合があり、これを防止するため、または最も目立つように表現したい被写体（本実施例の場合、人物）を際立って鮮明に見えるようにするために、各被写体の遠近感を多少強調する効果を得るために行われるものである。
【００２６】
図４は、図１の合成処理Ｓ３の概要を示す模式図であり、レイヤー画像Ｐ２１，Ｐ２２，Ｐ２３の前面レイヤーＬ１、中間レイヤーＬ２、及び背景レイヤーＬ３を合成して合成画像Ｐ３を生成している状態を示している。合成画像Ｐ３は、深度値が変更された前面レイヤーＬ１、中間レイヤーＬ２、及び背景レイヤーＬ３から構成された画像データを印刷したものであり、また、後述するように、レンチキュラーレンズが貼り合わされることにより、立体画像として見えるように、一定間隔で右眼用の写真画像と左目用の写真画像とが写るように加工されているものである。なお、このときの合成画像Ｐ３の大きさは、例えば、Ａ４サイズ（縦２９７ｍｍ、横２１０ｍｍ）の写真であるが、このサイズに限られず、他のサイズの写真でも良い。この合成画像Ｐ３の合成処理Ｓ３の後に、図１に示すレンズ貼付処理Ｓ４が開始される。
【００２７】
図５は、図１のレンズ貼付処理Ｓ４の概要を示す模式図であり、合成画像Ｐ３にレンチキュラーレンズＣ１を貼り付けている状態を示している。レンチキュラーレンズＣ１は、表面に微細な細長い蒲鉾状のレンズが無数に並んで形成されている透明プラスチック製のシートであり、合成画像Ｐ３が右眼用の写真画像と左目用の写真画像とにより形成されることで、両眼の視差により立体的に見えるようにするものである。このレンチキュラーレンズＣ１が合成画像Ｐ３に貼り付けられることにより、合成画像Ｐ３が立体的に見えるようになる。
【００２８】
以上のように、この写真画像の加工方法によれば、前面レイヤーＬ１に深度値ｄ１〜ｄ２を適用し、中間レイヤーＬ２に深度値ｄ３〜ｄ４を適用し、背景レイヤーＬ３に深度値ｄ５〜ｄ６を適用したことにより、同一レイヤーの中で異なる深度値を適用させているので、各レイヤーを立体的に表現することができる。また、これらの深度値を、
ｄ１＞ｄ２＞ｄ３＞ｄ４＞ｄ５＞ｄ６
の関係になるように各深度値を適用したことにより、各レイヤーに連続しない深度値を適用させることで画像全体として立体的に表現し、前面に浮き上がるように表示させたい被写体のレイヤーを明確に見せることができる。また、合成画像Ｐ３の印刷には特殊な印刷機を必要とせず、印刷後の合成画像Ｐ３にレンチキュラーレンズを貼り付けるものであるため、低コストで立体写真画像を生成することが可能になる。
【００２９】
また、画像データ加工処理Ｓ２１，Ｓ２２，Ｓ２３では、レイヤーＬ１，Ｌ２，Ｌ３に対して白黒グラデーションを付加するように加工しているので、各レイヤーが前面に浮き出ているように見えたり、背面に下がっているように見えたりする効果を得ることができる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、レイヤー分割処理Ｓ１では、写真画像Ｐ１を３つのレイヤーＬ１，Ｌ２，Ｌ３に分割したが、３つに限られず、２つまたは４つ以上であっても良い。また、レイヤー分割処理Ｓ１における写真画像Ｐ１は、Ｌ版サイズの写真としたが、例えば、デジタルカメラやスマートフォンで撮影した画像データをそのまま取得しても良い。さらに、写真画像Ｐ１に対して、名前やショートメッセージのようなロゴを付加して、このようなロゴに深度を変更するような加工を行っても良い。
【符号の説明】
【００３１】
Ｃ１                      レンチキュラーレンズ
Ｌ１                      前面レイヤー
Ｌ２                      中間レイヤー
Ｌ３                      背景レイヤー
Ｐ１                      写真画像
Ｐ２１，Ｐ２２，Ｐ２３    レイヤー画像
Ｐ３                      合成画像
Ｓ１                      レイヤー分割処理
Ｓ２１，Ｓ２２，Ｓ２３    画像データ加工処理
Ｓ３                      合成処理
Ｓ４                      レンズ貼付処理
【図１】
2017203905.tif 000003
【図２】
2017203905.tif 000004
【図３】
2017203905.tif 000005
【図４】
2017203905.tif 000006
【図５】
2017203905.tif 000007